(57)【要約】      （修正有）【課題】建築物の柱、壁、床、天井として使用される、減圧または真空の中空部を具備した、断熱防音のパネル技術を提供する。【解決手段】ＳＰＣ鋼板パイプ４を、プレスで成型圧縮加工をおこない、ＳＰＣ角型中空パネル１に形成する。同時にＳＰＣ角型中空パネル１の上下平面にも凹模様リブを設ける。さらにＳＰＣ角型中空パネル１を、ＳＵＳ３０４角丸パイプ６に挿入する。次にそのままプレスで圧縮成型加工を施して、内部に収めたＳＰＣ角型中空パネル１の全表面形状に同一に密着合わせでプレス成型する。このようにして形成された、パネル本体７は、外側は鍔５を設けた角型パネルとして一体に形成されている。さらにプレス圧縮で密着した、パネル本体７のパイプ開口側を溶着する。最後にパネル本体７に孔をあけ、その部分より中空パネル内を減圧し、もしくは真空状態に保ち、その後、孔を完全密閉し、断熱防音パネルとなす。【選択図】図４
2011012526.tif 000002
【特許請求の範囲】
【請求項１】
ＳＰＣ鋼板パイプ（４）を、プレスで成型圧縮加工をおこない、周囲に鍔（５）を設けた、ＳＰＣ角型中空パネル（１）に形成し、同時に該中空パネルの上下平面にも凹模様リブ（２）を設け、さらにこのＳＰＣ角型中空パネル（１）をＳＵＳ３０４角丸パイプ（６）に挿入して収め、次にそのままプレスで圧縮成型加工を施し、内部に収めたＳＰＣ角型中空パネル（１）の全表面形状に同一に密着合わせで、覆い被せた状態にプレス成型して、このようにして形成された、パネル本体（７）は、外側は鍔（５）を設けた、ＳＵＳ３０４角型パネル（３）として、内側にはＳＰＣ角型中空パネル（１）として構成し一体に形成し、さらにプレス圧縮で密着した、パネル本体（７）の該パイプ開口側を溶着して、最後にパネル本体（７）に孔をあけ、その部分より中空パネル内を減圧し、もしくは真空状態に保ち、その後、孔を完全密閉してなる断熱防音パネル。
【発明の詳細な説明】
【技術分野】
【０００１】  本発明は、建物等の壁、柱、天井に、そのまま建築構造体として利用する、真空もしくは減圧された、中空パネルを応用した断熱、防音技術に関するものである。
【背景技術】
【０００２】  従来、建物の断熱および防音施工には、木材、発泡コンクリート、樹脂等の壁に、保温材のシートやフェールト類を貼付けたり、挟み込んだりする方法がほとんどである。
また近年、特開２００６−０３０４４６「真空パネル」などの技術が公開されている。
【発明の開示】
【発明が解決しようとする課題】
【０００３】  現在、断熱、防音などの施工工事は、壁や天井の隙間に１００〜２００ｍ／ｍ程の、フェールト類を填め込んでいる。またその隙間に発泡ウレタン等を注入する方法も取られている。この施工負担は大きく、コストアップになり、それでいて断熱防音効果は、そんなに期待出来るものではない。また、火災にもなれば壁や天井、その他は焼け落ちて、当然この断熱防音材も、取れ落ちてしまう。また公開の真空パネル等は内部構造が複雑であり、可燃物の樹脂類が混入されており、コスト面に於いても今一である。
これら課題を解決するために本発明はなされたのである。
【課題を解決するための手段】
【０００４】  本発明は出来る限りの簡単構成で、ローコストに形成したものである。
まず、板圧１．０ｔ〜２．０ｔの、ＳＰＣ鋼板パイプ（４）を、プレスで成型圧縮加工をおこない、周囲に鍔（５）を設けた、ＳＰＣ角型中空パネル（１）に形成する。同時に該中空パネルの上下平面にも凹模様リブ（２）を設ける。このリブはパネル強度を上げる目的の補強リブとして働く。さらにこのＳＰＣ角型中空パネル（１）を、あらかじめＳＵＳ３０４パイプをプレス加工して形成した、板圧０．０５ｔ〜０．１ｔの、ＳＵＳ３０４角丸パイプ（６）に挿入して収める。次にそのままプレスで圧縮成型加工を施し、内部に収めたＳＰＣ角型中空パネル（１）の全表面形状に同一に密着合わせで、覆い被せた状態にプレス成型する。このようにして形成された、パネル本体（７）は、外側は鍔（５）を設けた、ＳＵＳ３０４角型パネル（３）として、内側にはＳＰＣ角型中空パネル（１）として構成し、一体に形成される。さらにプレス圧縮で密着した、パネル本体（７）の該パイプ開口側を溶着して密閉する。つまり、もともとパイプをプレスしたものであるから、左右開口部は密着して潰されているだけであり、この部分は溶接等で溶着密閉する。最後にパネル本体（７）に孔をあけ、その部分より中空パネル内を減圧し、もしくは真空状態に保ち、その後、孔を完全密閉する。
本発明は以上のような構成および特徴からなる、断熱防音パネルである。
【発明の効果】
【０００５】  ＳＰＣ鋼板にコーティングしたように、ＳＵＳ３０４ステンレス鋼板で全体を被せた密着プレス処理をしたので、堅牢で腐食しないパネルとなった。また、単なるパネルではなく、内部は減圧もしくは、真空引きの中空になっており、完全に断熱、防音の処理がなされている。さらに、このパネルは成型で柱形状、壁形状、床形状、天井形状に合うように形成できるので、多用途パネルとして活用する。つまり、柱形状に形成すれば該パネルを鍔（５）で、順次接続して組んで行くだけで、建築構造柱になり、しかも、甚大なる断熱防音効果を持ち、火災にあったとしても焼け落ちる事もなく、建物を支持することができる。壁、天井、床構造にしても、同様の効果を持つ。
【発明を実施するための最良の形態】
【０００６】  本構成は、建築部材として、また建築構造物としての観点で開発されているのである。
まず、板圧１．０ｔ〜２．０ｔの、ＳＰＣ鋼板パイプ（４）を、プレスで成型圧縮加工をおこない、周囲にフランジー形状の鍔（５）を設けた、ＳＰＣ角型中空パネル（１）に形成する。同時に該中空パネルの上下平面にも凹模様リブ（２）を設ける。このリブはパネル強度を上げる目的の補強リブとして強力に働く。さらにこのＳＰＣ角型中空パネル（１）を心材として、あらかじめＳＵＳ３０４パイプをプレス加工して形成した、板圧０．０５ｔ〜０．１ｔの、ＳＵＳ３０４角丸パイプ（６）の中に、挿入して収める。次にそのままプレスで圧縮成型加工を施し、内部に収めたＳＰＣ角型中空パネル（１）の全表面形状に同一に密着合わせで、覆い被せた状態に、つまり０．１ｍ／ｍ厚での、コーティングされたような形状で、プレス成型される。このようにして形成された、パネル本体（７）は、外側は、フランジー形状の鍔（５）を設けた、ＳＵＳ３０４角型パネル（３）として設け、内側にはＳＰＣ角型中空パネル（１）として構成し、これらが一体に形成される。さらにプレス圧縮で密着した、パネル本体（７）の該パイプ開口側の鍔（５）の外側を溶着して密閉する。つまり、もともとパイプをプレスしたものであるから、左右開口部は密着して潰されているだけであり、この部分は溶接等で溶着密閉する。最後にパネル本体（７）に孔をあけ、その部分より真空ポンプ等にて、中空パネル内を減圧し、もしくは真空状態にしてから、孔を完全密閉する。
本発明は以上のような構成であり、これを使用実施するときには、【０００７】  建築作業現場等に運んで、建築物等の柱や壁、天井、床等として組み付ける。
【図面の簡単な説明】
【０００８】
【図１】  本発明の斜視図である。
【図２】  本発明のＡ−Ａ断面図である。
【図３】  本発明のリブ入りのＳＰＣ角型中空パネルの平面図である。
【図４】  本発明の加工説明図である。
【図５】  本発明の建物構造物としての施工図である。
【符号の説明】
【０００９】  １  ＳＰＣ角型中空パネル
２  凹模様リブ
３  ＳＵＳ３０４角型パネル
４  ＳＰＣ鋼板パイプ
５  鍔
６  ＳＵＳ３０４角丸パイプ
７  パネル本体
８  密閉溶着部
９  柱
１０  壁
１１  密閉孔
１２  プレス金型
【図１】
2011012526.tif 000003
【図２】
2011012526.tif 000004
【図３】
2011012526.tif 000005
【図４】
2011012526.tif 000006
【図５】
2011012526.tif 000007